(57)【要約】本明細書で開示するのは、規制部材が回転されてその元の位置に戻る瞬間に締付部材が受け部材内にしっかり留められるとともに、ユーザーが前記規制部材を回転させて前記締付部材を磁性体から分離させると、前記締付部材の締結状態が解除される、使いやすく構造がシンプルな紐締め付け装置である。紐の端部分は固定部材に挿入され、前記固定部材内部に積層締付される。前記紐締め付け装置は、前記積層された紐の上端部分が前記紐の下端部分を押圧すると同時に、前記紐のしっかりとした締結状態を保持することができるので、前記紐を安定的に履物に締め付けることができ、それによって、生産性を向上させる。【選択図】図２
2009535087.tif 000002
【特許請求の範囲】
【請求項１】
履物用の紐締め付け装置であって、
紐（Ｌ）が、一定間隔で前記履物の甲部分上に向かい合って形成された連結リンク（１４）に相互に締め付けられるような方式で履かれるとともに、
規制部材（１２０）を回転させて元の位置に戻すと同時に、前記紐（Ｌ）が連結される前記連結リンク（１４）間に留められ、受け部材（１１０）内にしっかり留められる締付部材（１３０）を有する第１締付部（１００）であって、前記規制部材（１２０）を回転させて、それを磁性体（１４０）から分離させると同時に、前記第１締付部（１００）が前記締付部材（１３０）の締結状態を解除することを特徴とする第１締付部（１０）と、
前記履物（１０）の最終連結リンク（１４）を通過する前記紐（Ｌ）の端部分が固定部材（２１０）内に嵌装されて積層連結される第２締付部（２００）であって、前記積層連結された紐（Ｌ）の上端部分が前記紐（Ｌ）の下端部分を押圧すると同時に、前記第２締付部（２００）が前記紐の締結状態を堅固に保つことができることを特徴とする第２締付部（２００）と、を含むことを特徴とする履物用の紐締め付け装置。
【請求項２】
紐締め付け装置であって、前記第１締付部（１００）には、
その中心の両側面で内側に窪んだ締付部本体（１１１）を有する前記受け部材（１１０）であって、前記締付部本体（１１１）が、その側面から突起する支持片（１１１ａ）を有するとともに、それに対して前記紐（Ｌ）を連結するための通孔（１１１ａ’）、前記締付部材（１３０）を留めるために前記締付部本体（１１１）の他側に形成された受け入れスペース（１１１ｂ）、その上に前記規制部材を装着するための前記締付部本体（１１１）の底部で開口する装着スペース（１１１ｃ）、及び前記装着スペース（１１１ｃ）の両側に形成された回転孔（１１１ｄ）を、それぞれ有することを特徴とする前記受け部材（１１０）と、
金属材からなる前記規制部材（１２０）であって、前記規制部材（１２０）が前記装着スペース（１１１ｃ）内に装着される規制板（１２１）を有し、前記規制板（１２１）が、その両側に形成されて前記回転孔（１１１ｄ）に挿入された回動軸（１２１ａ）、前記規制板（１２１）を回転させるために前記回動軸（１２１ａ）の両端に形成された規制レバー（１２１ｂ）、及び前記締付部材（１３０）を着脱自在に装着するための前記規制板（１２１）の後部分から突起する規制突起（１２１ｃ）を、それぞれ有することを特徴とする前記規制部材（１２０）と、
前記受け入れスペース（１１１ｂ）に留められ、締付板（１３１）を有する前記締付部材（１３０）であって、前記締付板（１３１）が、前記規制突起（１２１ｃ）の調整によって前記規制部材（１２０）と前記締付部材（１３０）間の締結状態を解除するための複数の締付スロット（１３１ａ）、及び前記締付板（１３１）の後部分の両側から突起し、それに対して前記紐（Ｌ）を留めるための通孔（１３１ｂ’）をそれぞれ有する支持片（１３１ｂ）を、有することを特徴とする前記締付部材（１３０）と、
前記締付部材（１３０）が前記規制部材（１２０）にしっかり留められると同時に、繰り返して回転を行う前記規制部材（１２０）を元の位置に戻すため、前記締付部本体（１１１）の受け入れスペース（１１１ｂ）の下部上面に装着された前記磁性体（１４０）と、を含むことを特徴とする請求項１に係る紐締め付け装置。
【請求項３】
紐締め付け装置であって、前記第２締付部（２００）には、
その中に空洞が形成され、前記履物（１０）の甲部の上部に固定される固定孔（２１１）を有する固定部材（２１０）と、
前記固定部材（２１０）の側面に形成され、前記固定部材（２１０）の側面に嵌装された前記紐（Ｌ）の動きを防止するための動作防止顎部（２１３）を有するガイドスペース（２１２）と、
前記ガイドスペース（２１２）の下端部分に配置されて、前記紐（Ｌ）の囲み時に前記紐（Ｌ）を前記ガイドスペース（２１２）に誘導するガイドロッド（２１４）と、を含むことを特徴とする請求項１に係る紐締め付け装置。
【請求項４】
紐締め付け装置であって、
前記履物（１０）の甲部分と密着する湾曲状内面を有し、その開口内側部によって形成されたカップリングスペース（３１１ａ）を有する受け部材本体（３１１）を有する受け部材（３１０）と、
固定ネジ（３１２ａ）を介して前記受け部材本体３１１の上部分に固定され、その中にバネ（３１３）を有する固定フレーム（３１２）と、
前記固定フレーム（３１２）に嵌装され、半円形状断面を有する加圧片（３１４）と、
前記加圧片（３１４）を押圧するために前記受け部材本体（３１１）を介して前記加圧片（３１４）の端部に接合された押圧片（３１５）と、
前記加圧片（３１４）と前記固定フレーム（３１２）間に回転自在に装着された解除片（３１６）と、
前記解除片（３１６）の端部分と連結され、弾性的に動作し、前記前記紐（Ｌ）と連結される履物本体の側面に形成された少なくとも１つの連結リンク（３１８）と連結される板バネ（３１７）と、
前記カップリングスペース（３１１ａ）に挿入され、前記解除片（３１６）にしっかり留められるように一方向に突起する複数の保持突起（３２１）と前記紐（Ｌ）が連結されるその側面に形成された少なくとも１つのカップリングリンク（３２２）とを有する締付部材（３２０）とが含まれる第３締付部（３００）をさらに含む請求項１に係る紐締め付け装置。
【請求項５】
履物用の紐締め付け装置であって、
紐（Ｌ）が、一定間隔で前記履物の甲部分上に向かい合って形成された連結リンク（１４）に相互に締め付けられるような方式で履かれるとともに、
規制部材（１２０）を回転させて元の位置に戻すと同時に、前記紐（Ｌ）が連結される前記連結リンク（１４）間に留められ、受け部材（１１０）内にしっかり留められる締付部材（１３０）を有する第１締付部（１００）であって、前記規制部材（１２０）を回転させて、それを磁性体（１４０）から分離させると同時に、前記第１締付部（１００）が前記締付部材（１３０）の締結状態を解除することを特徴とする締付部（１００）を含むことを特徴とする履物用の紐締め付け装置。
【請求項６】
紐締め付け装置であって、前記締付部（１００）に、
その中心の両側面で内側に窪んだ締付部本体（１１１）を有する前記受け部材（１１０）であって、前記締付部本体（１１１）が、その側面から突起する支持片（１１１ａ）を有するとともに、それに対して前記紐（Ｌ）を連結するための通孔（１１１ａ’）、前記締付部材（１３０）を留めるために前記締付部本体（１１１）の他側に形成された受け入れスペース（１１１ｂ）、その上に前記規制部材を装着するための前記締付部本体（１１１）の底部で開口する装着スペース（１１１ｃ）、及び前記装着スペース（１１１ｃ）の両側に形成された回転孔（１１１ｄ）を、それぞれ有することを特徴とする前記受け部材（１１０）と、
金属材からなる前記規制部材（１２０）であって、前記規制部材（１２０）が前記装着スペース（１１１ｃ）内に装着される規制板（１２１）を有し、前記規制板（１２１）が、その両側に形成されて前記回転孔（１１１ｄ）に挿入された回動軸（１２１ａ）、前記規制板（１２１）を回転させるために前記回動軸（１２１ａ）の両端に形成された規制レバー（１２１ｂ）、及び前記締付部材（１３０）を着脱自在に装着するための前記規制板（１２１）の後部分から突起する規制突起（１２１ｃ）を、それぞれ有することを特徴とする前記規制部材（１２０）と、
前記受け入れスペース（１１１ｂ）に留められ、締付板（１３１）を有する前記締付部材（１３０）であって、前記締付板（１３１）が、前記規制突起（１２１ｃ）の調整によって前記規制部材（１２０）と前記締付部材（１３０）間の締結状態を解除するための複数の締付スロット（１３１ａ）、及び前記締付板（１３１）の後部分の両側から突起し、それに対して前記紐（Ｌ）を留めるための通孔（１３１ｂ’）をそれぞれ有する支持片（１３１ｂ）を、有することを特徴とする前記締付部材（１３０）と、
前記締付部材（１３０）が前記規制部材（１２０）にしっかり留められると同時に、繰り返して回転を行う前記規制部材（１２０）を元の位置に戻すため、前記締付部本体（１１１）の受け入れスペース（１１１ｂ）の下部上面に装着された前記磁性体（１４０）と、を含むことを特徴とする請求項５に係る紐締め付け装置。
【請求項７】
履物用の紐締め付け装置であって、
紐（Ｌ）が、一定間隔で前記履物の甲部分上に向かい合って形成された連結リンク（１４）に相互に締め付けられるような方式で履かれるとともに、
前記履物（１０）の最終連結リンク（１４）を通過する前記紐（Ｌ）の端部分が固定部材（２１０）内に嵌装されて積層連結される締付部（２００）であって、前記積層連結された紐（Ｌ）の上端部分が前記紐（Ｌ）の下端部分を押圧すると同時に、前記締付部（２００）が前記紐の締結状態を堅固に保つことができることを特徴とする第２締付部と、を含むことを特徴とする履物用の紐締め付け装置。
【請求項８】
履物用の紐締め付け装置であって、前記締付部（２００）には、
その中に空洞が形成され、前記履物（１０）の甲部の上部に固定される固定孔（２１１）を有する固定部材（２１０と）、
前記固定部材（２１０）の側面に形成され、前記固定部材（２１０）の側面に嵌装された前記紐（Ｌ）の動きを防止するための動作防止顎部（２１３）を有するガイドスペース（２１２）と、
前記ガイドスペース（２１２）の下端部分に配置されて、前記紐（Ｌ）の囲み時に前記紐（Ｌ）を前記ガイドスペース（２１２）に誘導するガイドロッド（２１４）と、を含むことを特徴とする請求項７に係る履物用の紐締め付け装置。
【発明の詳細な説明】
【技術分野】
【０００１】
本発明は履物に関するものであり、特に、締付部材が受け部材内にしっかり留められると同時に、回転された規制部材が磁性体によって元の位置に戻るので、着脱が容易で構造がシンプルであり、さらに、第２締付部に結び付けられた紐の上端部分が前記紐の下端部分を押圧するので、安定した締結状態を保つことができるような紐締め付け装置に関するものである。
【背景技術】
【０００２】
一般に、履物は日常生活で使用される生活商品の１つであり、最近になっては、週５日勤務のおかげで人々の社会活動や余暇時間が増加しているため、その使用が大幅に増加している。かかる履物には、その使用目的に応じてさまざまな種類があるが、ほとんどの種類の履物は、その使用目的にかかわらず、紐を利用して履けるようになっている。履物１０には、ユーザーの足を受け入れて保護する受け入れスペース１２を持つ履物本体１１と、前記履物本体１１の開口甲部分に位置するユーザーの足上部を保護する保護カバー（タン）１３と、一定間隔で前記履物本体１１の甲部分の両側に向かい合って配設され、固定部材１５を介して前記履物１０に固定され、それによって、紐（Ｌ）と前記履物とを相互締結状態にすることを特徴とする連結リンク１４と、が含まれる。しかしながら、上記のように構設された従来の履物には、ユーザーが前記紐を解いて緩めた後に前記履物を履くためには、前記紐を強く引っ張らなければならないので、着脱に時間がかかるという点、ユーザーが歩行中に前記紐が緩む場合もあるという点、前記紐が縛着される際、前記紐の結び目が複雑であり、その外見が良くないという点などの、いくつかの問題点がある。
【発明の開示】
【発明が解決しようとする課題】
【０００３】
よって、本発明は前記従来技術で発生する前述の問題点を解決するためになされたものであり、本発明の目的は、前記磁性体が受け部材内部に装着されているので、規制部材が磁性体から分離されると同時に、締付部材が締結状態から解除されるようになっていて、使いやすく構造がシンプルであり、さらに、第２締付部に結び付けられた前記紐の上端部分が前記紐の下端部分を押圧するので、紐の安定した締結状態を保つことができる紐締め付け装置を提供することである。
【課題を解決するための手段】
【０００４】
上記目的を達成するため、本発明は、紐が、一定間隔で前記履物の甲部分上に向かい合って形成された連結リンクに相互に締め付けられるような方式で履かれるとともに、以下を含む履物用紐締め付け装置を提供する。
【０００５】
前記紐が連結される前記連結リンク間に留められ、規制部材を回転させて元の位置に戻すと同時に、受け部材内にしっかり留められる締付部材を有する第１締付部であって、前記規制部材を回転させて、それを磁性体から分離させると同時に、前記第１締付部が前記締付部材の締結状態を解除することを特徴とする第１締付部と、前記履物の最終連結リンクを通過する前記紐の端部分が固定部材内に嵌装されて積層連結される第２締付部であって、前記積層連結された紐の上端部分が前記紐の下端部分を押圧すると同時に、前記第２締付部が前記紐の締結状態を堅固に保つことができるようになっていることを特徴とする第２締付部。
【発明の効果】
【０００６】
本発明に係る紐締め付け装置では、締付部材が受け部材内にしっかり留められると同時に、回転された規制部材が磁性体によって元の位置に戻るので、着脱が容易で構造がシンプルであり、それによって、その製造コストが低減される。また、前記第２締付部に結び付けられた前記紐の上端部分が前記紐の下端部分を押圧するので、前記紐締め付け装置は前記紐を前記靴に迅速に留めることができ、安定した締結状態を保つことができ、それによって、生産性を向上させる。
【発明を実施するための最良の形態】
【０００７】
以下、添付図面を参照して、本発明の好適な実施形態を詳細に参照する。図２は本発明の好適な第１実施形態に係る紐締め付け装置が適用されている履物の斜視図であり、図３は本発明に係る第１締付部の分解斜視図であり、図４は前記第１締付部の組立斜視図であり、図５は前記第１締付部の締結状態を示す図であり、図６は本発明に係る第２締付部の底面斜視図であり、さらに、図７は前記第２締付部の側面図である。本発明によれば、紐（Ｌ）が、一定間隔で前記履物の甲部分上に向かい合って形成された連結リンク１４に相互に締め付けられるような方式で履かれるとともに、以下を含む履物用紐締め付け装置が提供される。
【０００８】
規制部材１２０を回転させて元の位置に戻すと同時に、前記紐（Ｌ）が連結される前記連結リンク１４間に留められ、受け部材１１０内にしっかり留められる締付部材１３０を有する第１締付部１００であって、前記規制部材１２０を回転させて、それを磁性体１４０から分離させると同時に、前記第１締付部１００が前記締付部材１３０の締結状態を解除することを特徴とする第１締付部１００と、前記履物１０の最終連結リンク１４を通過する前記紐（Ｌ）の端部分が固定部材２１０内に嵌装されて積層連結される第２締付部２００であって、前記積層連結された紐（Ｌ）の上端部分が前記紐（Ｌ）の下端部分を押圧すると同時に、前記第２締付部２００が前記紐の締結状態を堅固に保つことができることを特徴とする第２締付部２００が提供される。
【０００９】
前記第１締付部１００には、その中心の両側面で内側に窪んだ締付部本体１１１を有する前記受け部材１１０であって、前記締付部本体１１１が、その側面から突起する支持片１１１ａを有するとともに、それに対して前記紐（Ｌ）を連結するための通孔１１１ａ’、前記締付部材１３０を留めるために前記締付部本体１１１の他側に形成された受け入れスペース１１１ｂ、その上に前記規制部材を装着するための前記締付部本体１１１の底部で開口する装着スペース１１１ｃ、及び前記装着スペース１１１ｃの両側に形成された回転孔１１１ｄを、それぞれ有することを特徴とする前記受け部材１１０と、金属材からなる前記規制部材１２０であって、前記規制部材１２０が前記装着スペース１１１ｃ内に装着される規制板１２１を有し、前記規制板１２１が、その両側に形成されて前記回転孔１１１ｄに挿入された回動軸１２１ａ、前記規制板１２１を回転させるために前記回動軸１２１ａの両端に形成された規制レバー１２１ｂ、及び前記締付部材１３０を着脱自在に装着するための前記規制板１２１の後部分から突起する規制突起１２１ｃを、それぞれ有することを特徴とする前記規制部材１２０と、前記受け入れスペース１１１ｂに留められ、締付板１３１を有する前記締付部材１３０であって、前記締付板１３１が、前記規制突起１２１ｃの調整によって前記規制部材１２０と前記締付部材１３０間の締結状態を解除するための複数の締付スロット１３１ａ、及び前記締付板１３１の後部分の両側から突起し、それに対して前記紐（Ｌ）を留めるための通孔１３１ｂ’をそれぞれ有する支持片１３１ｂを、有することを特徴とする前記締付部材１３０と、前記締付部材１３０が前記規制部材１２０にしっかり留められると同時に、繰り返して回転を行う前記規制部材１２０を元の位置に戻すため、前記締付部本体１１１の受け入れスペース１１１ｂの下部上面に装着された前記磁性体１４０が含まれる。
【００１０】
前記第２締付部２００には、その中に空洞が形成され、前記履物１０の甲部の上部に固定される固定孔２１１を有する固定部材２１０と、前記固定部材２１０の側面に形成され、前記固定部材２１０の側面に嵌装された前記紐（Ｌ）の動きを防止するための動作防止顎部２１３を有するガイドスペース２１２と、前記ガイドスペース２１２の下端部分に配置されて、前記紐（Ｌ）の巻き付け時に前記紐（Ｌ）を前記ガイドスペース２１２に誘導するガイドロッド２１４、とが含まれる。
【００１１】
また、本発明に係る紐締め付け装置には第３締付部３００がさらに含まれる。
【００１２】
前記第３締付部３００には、前記履物１０の甲部分と密着する湾曲状内面を有し、その開口内側部によって形成されたカップリングスペース３１１ａを有する受け部材本体３１１を有する受け部材３１０と、固定ネジ３１２ａを介して前記受け部材本体３１１の上部分に固定され、その中にバネ３１３を有する固定フレーム３１２と、前記固定フレーム３１２に嵌装され、半円形状断面を有する加圧片３１４と、前記加圧片３１４を押圧するために前記受け部材本体３１１を介して前記加圧片３１４の端部に接合された押圧片３１５と、前記加圧片３１４と前記固定フレーム３１２間に回転自在に装着された解除片３１６と、前記解除片３１６の端部分と連結され、弾性的に動作し、前記前記紐（Ｌ）と連結される履物本体の側面に形成された少なくとも１つの連結リンク３１８と連結される板バネ３１７と、前記カップリングスペース３１１ａに挿入され、前記解除片３１６にしっかり留められるように一方向に突起する複数の保持突起３２１と前記紐（Ｌ）が連結されるその側面に形成された少なくとも１つのカップリングリンク３２２とを有する締付部材３２０、とが含まれる。
【００１３】
以下に、本発明が適用されている履物１０に前記紐（Ｌ）を締め付ける工程を説明する。
【００１４】
まず、図２〜図６に示すように、前記紐（Ｌ）は、前記履物１０の両側と前記履物１０の真上の前記紐（Ｌ）の端部で、向かい合って配設された前記連結リンク１４間に少なくとも１回相互連結される。前記紐（Ｌ）、前記受け部材１１０の通孔１１１ａ’及び前記締付部材１３０の通孔１３１ｂ'の方向が同一線上に位置され、次いで、前記紐（Ｌ）は前記通孔１１１ａ’と１３１ｂ'と直線状に連結される。
【００１５】
この例では、前記第１締付部１００の受け部材１１０と締付部材１３０とは、別々の状態を保つ。加えて、前記紐（Ｌ）が、前記履物１０の最上部分に形成された前記第２締付部２００方向に向けられ、次いで、前記紐（Ｌ）の前端部は前記ガイドスペース２１２、より具体的には、前記動作防止顎部２１３の上に挿入され、次いで、前記挿入紐（Ｌ）は、前記ガイドスペース２１２の下端部分に押し入れられて、前記固定部材２１０から外向きに引き出される。
【００１６】
前記引き出された紐（Ｌ）の前端部は、前記ガイドロッド２１４で向きを変えられ、次いで、前記ガイドスペース２１２に嵌装された前記紐（Ｌ）の真下に緊密に位置決めされるように、前記動作防止顎部２１３の下にある前記ガイドスペース２１２に嵌装される。
【００１７】
上記のように、前記紐（Ｌ）が前記第２締付部２００に挿入されている状態では、その下部分に位置する前記紐（Ｌ）の前端部が前記履物１０の中心に向かって引っ張られると、前記紐（Ｌ）は前記ガイドスペース２１２を介して移動される。前記紐（Ｌ）の前端部が下に引っ張られると、前記紐（Ｌ）の上端部分が前記紐（Ｌ）の下端部分を下向きに押圧するので、前記紐（Ｌ）は前記第２締付部２００から解れることなしに締結状態を堅固に保つことができる。
【００１８】
上記のように、前記紐（Ｌ）が前記第２締付部２００に結び付けられて固定されている状態では、ユーザーは、前記受け部材１１０と前記締付部材１３０とを把握し、次いで、前記締付部材１３０を前記受け入れスペース１１１ｂに挿入することができる。
【００１９】
前記締付部材１３０が、金属材からなる前記規制部材１２０の規制突起１２１ｃを通過すると同時に、前記受け入れスペース１１１ｂにしっかり留められると、前記規制部材１２０の規制突起１２１ｃは、前記締付部材１３０の締付スロット１３１ａによって前記回動軸１２１ａ上で回転され、それと同時に、前記磁性体１４０の磁力によって元の位置に戻る。上記ステップが繰り返されると同時に、前記締付部材１３０は前記受け入れスペース１１１ｂにしっかり留められる。
【００２０】
ここでは、前記規制部材１２０は完全に金属材からなるか、または部分的に金属材からなる規制板１２１を有してもよい。すなわち、前記磁性体１４０と密着する部分のみが金属材からなっていればよいのである。
【００２１】
さらに、前記第１締付部１００の締結状態を解除するため、前記規制部材１２０の両側に形成された前記規制レバー１２１ｂが前記回動軸１２１ａ上で回転されると、前記規制板１２１も前記回動軸１２１ａ上で回転されるので、前記規制突起１２１ｃが前記締付部材１３０の締付スロット１３１ａから解除され、前記規制板１２１も前記磁性体１４０から同時に分離されるようになっている。
【００２２】
上記のように、前記規制部材１２０が回転されると、前記締付部材１３０は前記受け部材１１０から外向きに分離される。前記締付部材１３０の分離後、前記規制レバー１２１ｂの回転が除去されると、前記規制部材１２０は前記磁性体１４０の磁力によって元の状態に戻る。加えて、前記紐（Ｌ）の前記第２締付部２００からの締結状態を解除するため、ユーザーが前記紐（Ｌ）の上端部分を把握し、それを前記ガイドスペース２１２の上部分まで上に引っ張ると、前記紐の下端部分（Ｌ）を押圧する押圧力が除去され、前記紐の下端部分（Ｌ）を自由に動かすことができるので、前記紐（Ｌ）を弛緩させることができる。また、本発明の別の好適な実施形態を以下に説明する。
【００２３】
まず、図９または図１０に示すように、前記受け部材３１０と前記締付部材３２０が前記紐（Ｌ）に向かい合って互いに留められている状態で、ユーザーが前記受け部材３１０と前記締付部材３２０を手で把握し、次いで、前記締付部材３２０を前記受け部材３１０のカップリングスペース３１１ａに挿入する。
【００２４】
この例では、前記締付部材３２０の保持突起３２１は前記解除片３１６に接触し、前方向に移動すると同時に前記受け部材３１０に留められ、前記解除片３１６は、前記板バネ３１７の弾性によって、前記保持突起３２１と接触すると同時に一方向に傾斜して突起する前記保持突起３２１を支持するので、前記受け部材３１０と前記締付部材３２０間の締結状態が解除されることなしに保持できるようになっている。
【００２５】
上記のように、前記第３締付部３００が前記履物に留められ、前記履物が締め付けられている状態で前記履物１０を脱ぐためには、ユーザーが前記受け部材３１０を把握し、前記受け部材３１０の押圧片３１５を下向きに押圧すると、半円形状断面を有する前記加圧片３１４は前記解除片３１６の一部分を加圧するので、前記解除片３１６が、前記加圧片３１４によって前記受け部材本体３１１の上部分に向かって回転され、前記保持突起３２１から分離され、それによって、前記締結状態を解除できる。
【００２６】
その後、ユーザーが前記受け部材３１０と前記締付部材３２０を前記履物１０の両側に向かって回転させて、前記履物１０を横方向に弛緩させると、ユーザーは前記履物を迅速かつ容易に脱ぐことができるようになる。
【００２７】
前記第３締付部３００により、該履物のサイズが、前記受け部材３１０と前記締付部材３２０の両側に形成された前記連結リンク３１８，３２２の数に応じて縮小／増大することができるので、本発明に係る紐締め付け装置は、子供が履く小型の履物にも、登山靴、軍用靴、作業靴などの足首部分の長い履物にも適用することができ、前記紐を選択的に引き締めたり、緩めたりすると同時に、前記紐を該靴に留めることができる。
【産業上の利用可能性】
【００２８】
上記のように、本発明に係る紐締め付け装置では、締付部材が受け部材内にしっかり留められると同時に、回転された規制部材が磁性体によって元の位置に戻るので、着脱が容易で構造がシンプルであり、それによって、その製造コストが低減される。また、前記第２締付部に結び付けられた前記紐の上端部分が前記紐の下端部分を押圧するので、前記紐締め付け装置は前記紐を前記靴に迅速に留めることができ、安定した締結状態を保つことができ、それによって、生産性を向上させる。
【図面の簡単な説明】
【００２９】
【図１】図１は従来の履物の斜視図である。
【図２】図２は本発明の好適な第１実施形態に係る紐締め付け装置が適用されている履物の斜視図である。
【図３】図３は本発明に係る第１締付部の分解斜視図である。
【図４】図４は前記第１締付部の組立斜視図である。
【図５】図５は前記第１締付部の締結状態を示す図である。
【図５ａ】図５ａは、締付部材が受け部材に嵌装されて留められている状態を例示する図である。
【図５ｂ】図５ｂは、前記締付部材が前記受け部材に留められている状態を例示する図である。
【図５ｃ】図５ｃは、規制レバーが回転されて前記締付部材の締結状態を解除している状態を例示する図である。
【図５ｄ】図５ｄは、前記規制レバーの回転状態において、前記締付部材が前記受け部材から分離されている状態を例示する図である。
【図６】図６は本発明に係る第２締付部の底面斜視図である。
【図７】図７は前記第２締付部の側面図である。
【図８】図８は前記第２締付部の連結状態を示す図である。
【図８ａ】図８ａは、紐が固定部材に堅固に縛着されている状態を例示する図である。
【図８ｂ】図８ｂは、前記紐の堅固に縛着された状態が、前記紐を引き上げることによって解除されている状態を例示する図である。
【図９】図９は第２本発明の好適な実施形態の分解斜視図である。
【図１０】図１０は前記第２好適な実施形態の断面図である。図１１は本発明の好適な第２実施形態が適用されている履物の斜視図である。
【図１】
2009535087.tif 000003
【図２】
2009535087.tif 000004
【図３】
2009535087.tif 000005
【図４】
2009535087.tif 000006
【図５ａ】
2009535087.tif 000007
【図５ｂ】
2009535087.tif 000008
【図５ｃ】
2009535087.tif 000009
【図５ｄ】
2009535087.tif 000010
【図６】
2009535087.tif 000011
【図７】
2009535087.tif 000012
【図８ａ】
2009535087.tif 000013
【図８ｂ】
2009535087.tif 000014
【図９】
2009535087.tif 000015
【図１０】
2009535087.tif 000016
【図１１】
2009535087.tif 000017
【国際調査報告】
2009535087.tif 000018
2009535087.tif 000019